(57)【特許請求の範囲】
【請求項１】
給水源から水を取入れる入水口と、
前記入水口からの水の流量を調整する流量調整バルブと、
前記流量調整バルブ内に設けられ、前記入水口から取入れた水の中の異物を濾過するス
トレーナーと、
前記ストレーナーで濾過された水の通水と止水を検知する流量検知器と、
前記流量検知器を通過した水を加熱して湯にするヒーターと、
前記ヒーターで加熱された湯を給水栓に吐出する出湯口と、
前記ヒーターへの通電を制御する制御基板と、
前記入水口と前記ストレーナーと前記流量検知器と前記ヒーターと前記出湯口と前記制御基板とを有する本体ケースと、
を備え、
前記本体ケースは、前記ストレーナーの外周にテーパー部を有し、
前記ストレーナーは、着脱可能であり、前記本体ケースの上面、側面または前面のいずれか一方に設けられ、前記ストレーナーの外側の端面は、前記ストレーナーが設けられた前記本体ケースの上面、側面または前面に対して内側または同一面に位置し、着脱用の溝部が形成されており、
前記ストレーナーの握り部の厚さは、前記テーパー部の深さよりも小さい、
手洗い用電気温水器。
【請求項２】
請求項１に記載の手洗い用電気温水器であって、
前記溝部は、硬貨が係合する溝幅である、
手洗い用電気温水器。
【請求項３】
請求項１または２に記載の手洗い用電気温水器であって、
前記ストレーナーの外側の端面は、前記テーパー部の内側端面に対して内側または同一面に位置する
手洗い用電気温水器。
【発明の詳細な説明】
【技術分野】
【０００１】
本発明は、蛇口（給水栓）から吐出される水を予め温水にする手洗い用電気温水器に関する。
【背景技術】
【０００２】
従来技術の手洗い用電気温水器として、熱交換器（手洗い用電気温水器）から延びる２本の配管を浴槽に接続し、浴槽内の湯を熱交換器の外側で且つ浴槽と熱交換器の間の配管に設けられたストレーナー、循環ポンプ、熱交換器、浴槽の順に循環させ、配管のうち１本は止水栓（減圧逆止弁）を介して水道（給水源）に接続されるものがある（例えば、特許文献１参照。）。
【先行技術文献】
【特許文献】
【０００３】
【特許文献１】特許第４３５０２９２号公報
【発明の概要】
【発明が解決しようとする課題】
【０００４】
しかしながら特許文献１のケースでは、ストレーナーが手洗い用電気温水器から離れている為、一般の使用者ではストレーナーの位置が分かり難くストレーナーの掃除やメンテナンスを実施することが難しい。更に、ストレーナーの掃除やメンテナンスは、止水栓を開閉する専門工具とストレーナーを着脱する専門工具を所有している専門業者でないと実施することが難しい。
【０００５】
本発明は上記問題点に鑑みて成されたものであり、使用者がストレーナーの掃除やメンテナンスを行う際に、ストレーナーの着脱が容易である手洗い用電気温水器を提供することを目的とする。
【課題を解決するための手段】
【０００６】
本発明の第１の課題解決手段は、  給水源から水を取入れる入水口と、前記入水口からの水の流量を調整する流量調整バルブと、前記流量調整バルブ内に設けられ、前記入水口から取入れた水の中の異物を濾過するストレーナーと、前記ストレーナーで濾過された水の通水と止水を検知する流量検知器と、前記流量検知器を通過した水を加熱して湯にするヒーターと、前記ヒーターで加熱された湯を給水栓に吐出する出湯口と、前記ヒーターへの通電を制御する制御基板と、前記入水口と前記ストレーナーと前記流量検知器と前記ヒーターと前記出湯口と前記制御基板とを有する本体ケースと、を備え、前記本体ケースは、前記ストレーナーの外周にテーパー部を有し、前記ストレーナーは、着脱可能であり、前記本体ケースの上面、側面または前面のいずれか一方に設けられ、前記ストレーナーの外側の端面は、前記ストレーナーが設けられた前記本体ケースの上面、側面または前面に対して内側または同一面に位置し、着脱用の溝部が形成されており、前記ストレーナーの握り部の厚さは、前記テーパー部の深さよりも小さい、構成である。
【０００７】
また、本発明の第２の課題解決手段は、前記溝部は、硬貨が係合する溝幅である、構成である。
【０００８】
また、本発明の第３の課題解決手段は、前記本体ケースは、前記ストレーナーの外周にテーパー形状を有する、構成である。
【０００９】
また、本発明の第４の課題解決手段は、前記ストレーナーの外側の端面は、前記テーパー部の内側端面に対して内側または同一面に位置する、構成である。
【発明の効果】
【００１０】
本発明の手洗い用電気温水器は、本体ケースの上面、側面または前面のいずれか一方にストレーナーを有していることで一般の使用者でもストレーナーの位置が分かり易くなる。更に、ストレーナーに着脱用の溝部が形成されていることでマイナスドライバーといった一般工具を使ってストレーナーを回転着脱することが可能になる。これらにより、使用者がストレーナーの掃除やメンテナンスを実施する際に、ストレーナーを着脱することが容易になる。
【００１１】
また、本発明の手洗い用電気温水器は、溝部を硬貨が係合する溝幅とすることで、硬貨と云った身近な物を使って一般の使用者でもストレーナーの掃除やメンテナンスが可能になる。
【００１２】
また、本発明の手洗い用電気温水器は、本体ケースがストレーナーの外周にテーパー形状のテーパー部を有することで握り易くトルクを掛け易い外径の大きな硬貨（例えば５００円硬貨）を使うことが出来、お年寄りと云った力の弱い一般の使用者でもストレーナーの掃除やメンテナンスを楽に行なえる様に出来る。
【００１３】
また、本発明の手洗い用電気温水器は、ストレーナーの外側の端面がテーパー部の内側端面に対して内側または同一面に位置するため、より意匠性を向上させることが可能である。
【図面の簡単な説明】
【００１４】
【図１】手洗い用電気温水器を洗面台の下に設置した説明図である。
【図２】手洗い用電気温水器の外観の斜視図である。
【図３】実施例１に於けるストレーナーの外側周辺図である。
【図４】実施例１に於ける手洗い用電気温水器の内部説明図である。
【図５】実施例２に於けるストレーナーの外側周辺図である。
【図６】実施例２に於ける手洗い用電気温水器の内部説明図である。
【発明を実施するための形態】
【００１５】
以下に本発明の実施の形態を図面に基づいて詳細に説明する。
【００１６】
（実施例１）
図１は、本発明の手洗い用電気温水器１を洗面台２の下に設置した説明図である。水は、洗面台２の下側収納部２ａにある水道３（給水源）から止水栓４を介して手洗い用電気温水器１の入水口１２ａに水道圧によって圧送導入される。水は、手洗い用電気温水器１の中で湯に加熱され、水道圧によって出湯口１７ａから蛇口５（給水栓）へ湯が送出される。手洗い用電気温水器１には、電源コード６とアースコード６ａが接続されている。電源コード６とアースコード６ａには、漏電ブレーカ付き電源プラグ６ｂが接続されている。漏電ブレーカ付き電源プラグ６ｂは、洗面台２の下部にあるコンセント７に接続され、電源コード６を介して手洗い用電気温水器１へ電力を供給する。アースコード６ａは、下側収納部２ａにあるコンセント７のアース端子に接続される。意匠カバー８（本体ケース）の前面には、漏電ブレーカ付き電源プラグ６ｂがコンセント７へ接続されていることを示す通電ランプ９ａと水を湯に加熱中であることを示す加熱中ランプ９ｂとを有する表示部９が設置されている。
【００１７】
なお、洗面台２は、台所用流し台や浴室用洗面台と云った他の水場で代用することも可能である。下側収納部２ａにコンセント７が無い場合は、延長コードなどを使用して洗面台２の近くのコンセントなどから手洗い用電気温水器１へ電力を供給することも可能である。
【００１８】
図２は、手洗い用電気温水器１の外観の斜視図である。手洗い用電気温水器１は、手洗い用電気温水器１の外殻となる難燃ポリプロピレン樹脂製の意匠カバー８の側面にストレーナー１３を挿入する挿入口８ａを有している。ストレーナー１３は、ＳＵＳ３０４製で約１２０メッシュの金網１３ａを円筒形状物にし、円筒形状物の一端１３ｂの外周はポリプロピレン樹脂で覆われ、その内側を濾過された水の出水口１３ｃとしている。円筒形状物の他端１３ｄは、全体をポリプロピレン樹脂で覆われ、他端１３ｄの外側にストレーナー１３を手で持つ為の握り部１３eを形成している。握り部１３eには、硬貨やマイナスドライバーなどを挿入可能な溝部１３ｆが形成されている。金網１３ａの軸方向の合わせ面１３ｇを含め円筒形状物の一端１３ｂと他端１３ｄの間には、補強用のポリプロピレン樹脂の梁１３ｈが４本形成されている。一端１３ｂと他端１３ｄと梁１３ｈを形成するポリプロピレン樹脂と金網１３ａとは、ポリプロピレン樹脂で金網１３ａを円筒形状物の内側と外側から挟むように一体成形されている。円筒形状物の一端１３ｂの外周と他端１３ｄの全体と４本の梁１３ｈの間には、水を通す金網１３ａがポリプロピレン樹脂に覆われること無く剥き出しになっている。握り部１３ｅの金網１３ａ側の根元には、エチレンプロピレンジエンゴム（ＥＰＤＭゴム）製の第１Ｏリング１４が挿入されている。第１Ｏリング１４よりも金網１３ａ側で且つ４本の梁１３ｈまでのポリプロピレン樹脂には雄ねじ１３ｉが形成されている。
【００１９】
なお、ここでは挿入口８ａを意匠カバー８の側面に有しているが、意匠カバー８の上面または前面に有する構成とすることも可能である。また、意匠カバー８の材質を、他の樹脂又は金属板で形成することも可能である。金網１３ａのメッシュは、必要に応じて変更可能である。
【００２０】
図３は、実施例１に於けるストレーナー１３の外側周辺図である。意匠カバー８の外側表面に形成された挿入口８ａには、５００円硬貨の外径よりも大きなテーパー部８ｂ（凹部）が意匠カバー８の外側表面よりも内側に凹む様に形成されている。ストレーナー１３の溝部１３ｆは、深さ方向に５００円硬貨の外径Ｒよりも大きなＲ形状を有する凹部である。ストレーナー１３の外側の端面１３ｊは、意匠カバー８の挿入口８ａに挿入されて固定された状態ではテーパー部８ｂの内側端面８ｃに対して凹面となるか同一面となっている。
【００２１】
ただし、テーパー部８ｂが形成されていない場合は、ストレーナー１３の外側の端面１３ｊは、意匠カバー８の挿入口８ａに挿入されて固定された状態では意匠カバー８の外側表面に対して凹面となるか同一面となっている。
【００２２】
なお、溝部１３ｆは、深さ方向に長方形形状に凹む様に形成することも可能である。
【００２３】
図４は、実施例１に於ける手洗い用電気温水器１から意匠カバー８を取外した状態の内部説明図である。意匠カバー８を取外した状態の手洗い用電気温水器１には、ベースプレート１１（本体ケース）が具備されている。ベースプレート１１には、水道２（図１参照）からの水を取入れる金属製の入水口１２ａを有するポリプロピレン製の流量調整バルブ１２が設けられている。流量調整バルブ１２には、ストレーナー１３を挿入するストレーナー挿入管１２ｂが形成されている。ストレーナー挿入管１２ｂの外側端１２ｄには、ストレーナー１３が回転挿入されて固定された時に握り部１３ｅの金網１３ａ側の根元との間で第１Ｏリング１４を水密的に圧縮する第１Ｏリング用受け面１２ｅが形成されている。ストレーナー挿入管１２ｂの第１Ｏリング用受け面１２ｅより内側の内面には、ストレーナー１３の雄ねじ１３ｉに対応する径と長さとピッチを有する雌ねじ１２ｃが形成されている。ストレーナー挿入管１２ｂの内側端１２ｆには、ストレーナー１３が回転挿入されて固定された時に出水口１３ｃに嵌入される出水口受け管１２ｇが形成されている。出水口受け管１２ｇには、出水口１３ｃとの間で水密的に圧縮される第２Ｏリング１２ｈが出水口受け管１２ｇの外周に形成されたＯリング溝１２ｉを介して設置されている。
【００２４】
出水口受け管１２ｇと連通しストレーナー挿入管１２ｂの外側に突き出ている出水管１２ｊには、給水ホース１９の一端が接続され他端が流量検知器１５の一端に接続されている。流量検知器１５の他端には、吐水ホース２０の一端が接続され他端が熱交換ユニット１６の一端に接続されている。熱交換ユニット１６の他端には、出湯ホース２１の一端が接続され他端が直線型円筒管１７の一端に接続されている。直線型円筒管１７の他端には、蛇口５へ湯を吐出する出湯口１７ａが形成されている。給水ホース１９、吐水ホース２０と出湯ホース２１の両端はホースクリップ２２によって抜け止め処置が施されている。流量検出器１５の内側には、水の温度を測定するサーミスタ１５ａが挿入されている。流量検知器１５の内には、水の通水と止水（水流）を検知する被検知体（図示せず）が設けられ、流量検知器１５を通過した水を検知する。この被検知体は、例えば、水流によって回転することで流量を検知する構造とすることができる。熱交換ユニット１６の内側には、湯の温度を測定するサーミスタ１６ａが挿入されている。ベースプレート１１には、水の通水または止水と水や湯の温度を検知して熱交換ユニット１６への通電を制御する制御基板１８が取付けられている。制御基板１８には、電源コード６とアースコード６ａを介して１５ｍＡの漏電を検知して通電をＯＦＦにする漏電ブレーカ付き電源プラグ６ｂが取付けられている。制御基板１８に設置される５Ｖ作成用の３端子レギュレータ１８ａやヒーターＯＮ／ＯＦＦ用のトライアックは熱交換ユニット１６の水密用金属板１６ｂに接触させられている。熱交換ユニット１６の出力は最大１２４０Ｗ、水の流量は最大１０００ｃｍ３／ｍｉｎ、湯の調整温度は最大で３９．５℃の定格である。
【００２５】
なお、サーミスタ１５ａの位置は流量検出器１５の一端の円筒状内壁の内側等に、サーミスタ１６ａの位置は熱交換ユニット１６の他端の円筒状内壁の内側等に、必要に応じて変更することが可能である。最大定格使用時には、熱交換ユニット１６による水温上昇は約１７℃である為、サーミスタ１５ａとサーミスタ１６ａと温度制御基板１８は、削除することも可能である。必要に応じ、熱交換ユニット１６の出力、水の流量、湯の調整温度を変更することは可能である。
【００２６】
以下に、本発明の手洗い用電気温水器１の、実施例１の動作について、説明する。
【００２７】
図４の状態で、手洗い用電気温水器１は、水道３からの水を水道圧によって入水口１２ａから取入れ、流量調整バルブ１２に導入する。水は、流量調整バルブ１２内に形成されたストレーナー挿入管１２ｂに入り、ストレーナー挿入管１２ｂに回転挿入されて固定されたストレーナー１３の円筒状金網１３ａの外側から内側へ通過する。この際、水の中に混入している錆、砂、粉塵、微生物、水垢の塊等の固体物を金網１３ａにて濾過除去する。全ての水は、ストレーナー１３の一端１３ｂの出水口１３ｃと出水口受け管１２ｇとの間が水密的に接続されている為、接続部から漏れること無く必ず金網１３ａを通過する。全ての水は、ストレーナー１３の他端１３ｄのポリプロピレン樹脂と第１Ｏリング１４とによってストレーナー挿入管１２ｂの第１Ｏリング受け面１２ｅとの間が水密的に接続されている為、接続部から漏れること無く必ず金網１３ａを通過する。金網１３ａを通過して固体物を濾過除去された水は、出水口１３ｃ、出水口受け管１２ｇ、出水管１２ｊ、給水ホース１９、流量検知器１５、吐水ホース２０を通って熱交換ユニット１６に押出される。水は、熱交換ユニット１６内のセラミックヒータ（図示せず）によって加熱されて湯になる。湯は、出湯ホース２１、直線型円筒管１７、出湯口１７ａを通って給水栓へと押出される。
【００２８】
ストレーナー１３の掃除やメンテナンスを行なう際には、一般の使用者が止水栓４をＣＷ方向（時計方向）に廻して止水栓４を閉め、手洗い用電気温水器１への通水を停止する。次いで、使用者が、溝部１３ｆに５００円硬貨やマイナスドライバーを挿入し、ストレーナー１３をＣＣＷ方向（半時計方向）に回転させる。回転に伴い、雄ねじ１２ｃが形成されたストレーナー１３は、雌ねじ１３ｈが形成されたストレーナー挿入管１２ｂの内側から外側へ押出される。ストレーナー１３が押出される際に、ストレーナー１３の出水口１３ｃは、ストレーナー１３がストレーナー挿入管１２ｂの内壁にガイドされて押出されることで、径方向のストレスを受けること無くストレーナー挿入管１２ｂの出水口受け管１２ｇから外される。更にストレーナー１３が押出されることで、ストレーナー１３は、ストレーナー挿入管１２ｂから抜ける。取外されたストレーナー１３は、使用者によって水で洗浄され、金網１３ａ部分の外側にて濾過された固体物が洗い落とされる。固体物が取除かれたストレーナー１３は、使用者によってストレーナー挿入管１２ｂに挿入されてＣＷ方向に回転される。回転に伴い、雄ねじ１３ｉが形成されたストレーナー１３は、雌ねじ１２ｃが形成されたストレーナー挿入管１２ｂの外側から内側へ更に挿入される。ストレーナー１３が挿入される際に、ストレーナー１３の出水口１３ｃは、ストレーナー１３がストレーナー挿入管１２ｂの内壁にガイドされて挿入されることで、径方向のストレスを受けること無くストレーナー挿入管１２ｂの出水口受け管１２ｇへ挿入される。ストレーナー１３は、根元がストレーナー挿入管１２ｂの外側端１２ｄ面に当接し、金網１３ａに軸方向のストレスを掛けること無く、ストレーナー送入管１２ｂへ固定される。その後、使用者が止水栓４をＣＣＷ方向に廻して止水栓４を開き、手洗い用電気温水器１への通水を再開する。
【００２９】
以下に、本発明の手洗い用電気温水器１の、実施例１の効果について、説明する。
【００３０】
本発明の手洗い用電気温水器１は、意匠カバー８とベースプレート１１とから成る本体ケースにストレーナー１３を有していることで一般の使用者でもストレーナー１３の位置が分かり易くなる。更に、ストレーナー１３が着脱回転用の溝部１３ｆを有することでマイナスドライバーといった身近な一般工具を使ってストレーナー１３を回転着脱することが可能になる。これらにより、一般の使用者でもストレーナー１３の掃除やメンテナンスを実施することが容易になる。更に、本発明の手洗い用電気温水器１は、手洗い用電気温水器１の意匠カバー８の意匠面の突起が減る為、ストレーナー１３を回転着脱する為に手を入れる空間を確保し易くなる。更に、手洗い用電気温水器１の周囲へ物を保管する際にストレーナー１３が邪魔になったり、物の出し入れや止水栓４の操作時に手がストレーナー１３に当たることを防止出来る。加えて、止水栓４と手洗い用電気温水器１が洗面台２の中と云う一目で分かる位置にある為、一般の使用者でも止水栓４の開閉とストレーナー１３の着脱を容易に行なうことが可能になる。これにより、止水栓４を開けたままストレーナー１３を外してストレーナー送入管１２ｂの外側端１２ｄから水が漏れることを防止出来る。併せて、トライアック（図示せず）熱交換ユニット１６の水密用金属板１６ｂに接触させることで、トライアックを冷却してその破損を防止すると共に、冷却熱を水の加熱に活用して省エネ化することも可能である。
【００３１】
また、本発明の手洗い用電気温水器１は、溝部１３ｆを硬貨が係合する溝幅とすることで、硬貨と云った身近な物を使って一般の使用者でもストレーナー１３の掃除やメンテナンスが可能になる。
【００３２】
また、本発明の手洗い用電気温水器１は、意匠カバー８がストレーナー１３の外周にテーパー部８ｂを有することで握り易く大きなトルクを掛け易い５００円硬貨と云った外径の大きな硬貨を使うことが出来、お年寄りと云った力の弱い一般の使用者でもストレーナー１３の掃除やメンテナンスを楽に行なえる様に出来る。
【００３３】
（実施例２）
図５は、実施例２に於けるストレーナー１３の外側周辺図である。図６は、実施例２に於ける手洗い用電気温水器１から意匠カバー８を取外した状態の内部説明図である。
【００３４】
実施例１と比較して、実施例２のストレーナー１３は、握り部１３ｅが手洗い用電気温水器１の上面、側面または前面のいずれか一方の面に設置された時にいずれか一方の面よりも外側に突出ていることが特徴である。更に、握り部１３ｅには、滑り止め用の縦目ローレット１３ｋが形成されている。
【００３５】
なお、ここでは握り部１３ｅに縦目ローレット１３ｋを形成しているが、綾目ローレットと云った他の形状の滑り止めを形成したりＥＰＤＭゴムと云った滑り止めカバーを一体成形して代用することも可能である。握り部１３ｅは、高齢者と云った指の力の弱い使用者によって溝部１３ｆに硬貨やマイナスドライバーなどを挿入され、更に容易に回転させられる。
【００３６】
以下に、本発明の手洗い用電気温水器１の、実施例２の動作について、説明する。
【００３７】
実施例１と比較して、実施例２のストレーナー１３は、手で握り部１３ｅを直接握って回転させストレーナー１３を手洗い用電気温水器１から着脱される。この際、握り部１３ｅに形成された縦目ローレット１３ｋは、回転時に握り部１３ｅで指が滑るのを防止する。
【００３８】
以下に、本発明の手洗い用電気温水器１の、実施例２の効果について、説明する。
【００３９】
本発明の手洗い用電気温水器１は、ストレーナー１３が着脱回転用の握り部１３ｅを有することで、マイナスドライバーや硬貨といった身近な工具や物の持合わせが無い場合に、一般の使用者でも手を使ってストレーナー１３の掃除やメンテナンスが可能になる。
【符号の説明】
【００４０】
１  手洗い用電気温水器
２  洗面台
３  水道（給水源）
４  止水栓
５  蛇口（給水栓）
８  意匠カバー
８ａ  挿入口
１１  ベースプレート
１２  流量調整バルブ
１２ａ  入水口
１２ｂ  ストレーナー挿入管
１２ｃ  雌ねじ
１２ｄ  外側端
１２ｅ  第１Ｏリング用受け面
１２ｆ  内側端
１２ｇ  出水口受け管
１２ｈ  第２Ｏリング
１２ｉ  Ｏリング溝
１２ｊ  出水管
１３  ストレーナー
１３ａ  金網
１３ｂ  一端
１３ｃ  出水口
１３ｄ  他端
１３ｅ  握り部
１３ｆ  溝部
１３ｇ  挿入部軸方向の合わせ面
１３ｈ  梁
１３ｉ  雄ねじ
１３ｊ  外側の端面
１３ｋ  縦目ローレット
１４  第１Ｏリング
１５  流量検知器
１６  熱交換ユニット
１７  直線型円筒管
１７ａ  出湯口
１８  制御基板
【図１】
0005910016.tif 000002
【図２】
0005910016.tif 000003
【図３】
0005910016.tif 000004
【図４】
0005910016.tif 000005
【図５】
0005910016.tif 000006
【図６】
0005910016.tif 000007